(57)【要約】  飲料容器への取り付けのための蓋アセンブリが提供され、蓋本体の上部分に回転可能に取り付けられたカムレバー、及び蓋本体の下部分に回転可能に取り付けられた封止部材を有する。蓋本体の細長い凹部内の前後位置間のカムレバーの回転は、蓋本体の飲み口を選択的に封止及び封止解除する。係止部材は、封止部材が飲み口を封止する封止位置にあるとき、カムレバーの回転部分を選択的に固設するように動作可能である。カムレバーのカム軸は、飲むための使用構成と蓋アセンブリが完全に洗浄され得る洗浄構成との間で蓋アセンブリを変遷させるために、封止部材の取り付け要素に取り外し可能に取り付け可能である。【選択図】図１
2019501079.tif 000002
【特許請求の範囲】
【請求項１】
飲料容器用の蓋アセンブリであって、
飲み口を有する蓋本体と、
前記蓋本体に回動可能に取り付けられ、前記飲み口を封止する封止位置と前記飲み口を封止解除する封止解除位置との間で回転可能に可動である封止部材と、
前記蓋本体に回転可能に連結されたカムレバーであって、前記カムレバーが、第１のカムを有し、かつ前記第１のカムを回転させるように動作可能であり、前記第１のカムが、前記第１のカムから側方に延在し、かつ前記封止部材に取り外し可能に連結された第１のカム軸を有し、前記第１のカムの回転が、前記第１のカム軸に前記封止部材を前記封止位置と前記封止解除位置との間で動かすことを行わせる、カムレバーと、を備える、蓋アセンブリ。
【請求項２】
前記カムレバーは、第２のカムをさらに含み、前記カムレバーの回転が、前記封止部材を前記封止位置と前記封止解除位置との間で動かすように前記第１のカム及び前記第２のカムを同時に回転させるように動作可能である、請求項１に記載の蓋アセンブリ。
【請求項３】
前記カムレバーは、前記第２のカムから側方に延在し、かつ前記封止部材に取り外し可能に連結された第２のカム軸をさらに含み、前記第２のカムの回転が、前記第２のカム軸に前記封止部材を前記封止位置と前記封止解除位置との間で動かすことを行わせる、請求項２に記載の蓋アセンブリ。
【請求項４】
前記第１のカム及び前記第２のカムは、前記カムレバーの反対側方側部上に側方に離間される、請求項３に記載の蓋アセンブリ。
【請求項５】
前記蓋本体は、上方突出リップをさらに含み、前記カムレバーは、前記カムレバーが前記封止部材を前記封止位置に動かしたとき、前記リップを覆うようにサイズ決め及び形状決めされたカバー部分をさらに含む、請求項１に記載の蓋アセンブリ。
【請求項６】
前記蓋本体は、上方突出リップをさらに含み、前記カムレバーは、リップカバー部分をさらに含み、前記カムレバーが、前記封止部材が前記封止位置にある第１の位置と前記封止部材が前記封止解除位置にある第２の位置との間で回転可能であり、前記リップカバー部分が、前記カムレバーが前記第１の位置にあるとき、前記リップを覆う位置にある、請求項１に記載の蓋アセンブリ。
【請求項７】
前記リップは、前記飲み口に隣接し、かつ前記蓋本体の周縁に沿って延在する飲み口リップであり、前記リップカバー部分は、前記カムレバーが前記第１の位置にあるとき、前記周縁に沿って前記飲み口リップの少なくとも一部分を覆う、請求項６に記載の蓋アセンブリ。
【請求項８】
前記蓋本体は、円筒形状を有し、前記リップは、前記飲み口に隣接し、かつ前記蓋本体の周縁に沿って延在する飲み口リップであり、前記リップカバー部分は、前記カムレバーが前記第１の位置にあるとき、前記周縁に沿った前記飲み口リップの少なくとも一部分が位置付けられる凹部を有する、請求項６に記載の蓋アセンブリ。
【請求項９】
前記第１のカム軸が前記封止部材に連結されたとき、前記蓋アセンブリは、前記カムレバーが前記封止部材を前記封止位置と前記封止解除位置との間で動かすように動作可能である使用構成にあり、前記第１のカム軸が前記封止部材から連結解除されたとき、前記封止部材は、前記封止解除位置から離間され、かつその下にある洗浄位置に回転可能である、請求項１に記載の蓋アセンブリ。
【請求項１０】
前記封止部材は、前記洗浄位置にあるとき、前記蓋本体に回動可能に取り付けられたままである、請求項９に記載の蓋アセンブリ。
【請求項１１】
前記蓋本体は、前記第１のカムの側方外側でこれに隣接し、かつスロットを有する上方突出側壁をさらに含み、前記カムレバーは、前記第１のカムから側方に延在する保持部材であって、前記カムレバーを前記蓋本体に回転可能に連結し、かつ前記第１のカムが前記封止部材を前記封止位置と前記封止解除位置との間で動かすように回転されるときに前記第１のカムの前後運動を許容しつつ前記第１のカムの上方運動を抑制するように、前記スロット内に受容された、保持部材をさらに含む、請求項１に記載の蓋アセンブリ。
【請求項１２】
前記スロットは、前記カムレバーの前記保持部材が前記スロット内に挿入され、かつ前記スロットから取り外されることを許容する開口を含み、前記第１のカム軸が前記封止部材から連結解除され、かつ前記保持部材が前記スロットから取り外されたとき、前記カム部材は、前記封止部材及び前記蓋本体から分離可能である、請求項１１に記載の蓋アセンブリ。
【請求項１３】
飲料容器用の蓋アセンブリであって、
飲み口を有する蓋本体と、
前記蓋本体に回動可能に取り付けられ、前記飲み口を封止する封止位置と前記飲み口を封止解除する封止解除位置との間で回転可能に可動である封止部材と、
蓋本体に回転可能に連結されたカムレバーであって、前記カムレバーが、第１のカムを有し、かつ前記第１のカムを回転させるように動作可能であり、前記第１のカムが、前記第１のカムから側方に延在し、かつ前記封止部材に取り外し可能に連結された第１のカム軸を有し、前記第１のカムの回転が、前記第１のカム軸に前記封止部材を前記封止位置と前記封止解除位置との間で動かすことを行わせる、カムレバーと、
前記封止部材が前記封止位置にあるとき、前記カムレバーの回転を防止する係止位置と、前記封止部材を前記封止位置と前記封止解除位置との間で動かすように前記カムレバーの回転を許容する係止解除位置との間で可動な係止部材と、を備える、蓋アセンブリ。
【請求項１４】
前記係止部材は、前記封止部材が前記封止位置にあるときのみ、前記係止位置と前記係止解除位置との間で可動である、請求項１３に記載の蓋アセンブリ。
【請求項１５】
前記係止部材は、前記係止位置において前記カムレバーと接触し、前記係止解除位置において前記カムレバーから離間される、請求項１３に記載の蓋アセンブリ。
【請求項１６】
前記係止部材は、前記カムレバーの回転を防止する前記係止位置にあるとき、前記カムレバーの上方に面する表面と接触する、請求項１３に記載の蓋アセンブリ。
【請求項１７】
前記係止部材は、前記封止部材に取り付けられ、かつ前記封止部材に対して摺動自在に可動である、請求項１３に記載の蓋アセンブリ。
【請求項１８】
前記封止部材は、ガイド経路を含み、前記係止部材は、前記ガイド経路内で前記係止解除位置と前記係止位置との間で前後に摺動自在に可動である、請求項１７に記載の蓋アセンブリ。
【請求項１９】
前記カムレバーは、第２のカムをさらに含み、前記カムレバーの回転が、前記封止部材を前記封止位置と前記封止解除位置との間で動かすように前記第１のカム及び前記第２のカムを同時に回転させるように動作可能である、請求項１３に記載の蓋アセンブリ。
【請求項２０】
前記カムレバーは、前記第２のカムから側方に延在し、かつ前記封止部材に取り外し可能に連結された第２のカム軸をさらに含み、前記第２のカムの回転が、前記第２のカム軸に前記封止部材を前記封止位置と前記封止解除位置との間で動かすことを行わせる、請求項１９に記載の蓋アセンブリ。
【請求項２１】
前記第１のカム及び前記第２のカムは、前記カムレバーの反対側方側部上に側方に離間され、前記係止部材は、前記第１のカムと前記第２のカムとの間に少なくとも部分的に配設される、請求項１９に記載の蓋アセンブリ。
【請求項２２】
前記係止部材の下方に面する表面は、前記カムレバーの回転を制限し、かつ前記封止部材を前記封止位置に保持するように、前記係止位置にあるとき、前記カムレバーの上方に面する表面に対向する、請求項１３に記載の蓋アセンブリ。
【請求項２３】
前記蓋本体は、上方突出リップをさらに含み、前記カムレバーは、前記カムレバーが前記封止部材を前記封止位置に動かしたとき、前記リップを覆うようにサイズ決め及び形状決めされたカバー部分をさらに含む、請求項１３に記載の蓋アセンブリ。
【請求項２４】
前記蓋本体は、上方突出リップをさらに含み、前記カムレバーは、リップカバー部分をさらに含み、前記カムレバーが、前記封止部材が前記封止位置にある第１の位置と前記封止部材が前記封止解除位置にある第２の位置との間で回転可能であり、前記リップカバー部分が、前記カムレバーが前記第１の位置にあるとき、前記リップを覆う位置にある、請求項１３に記載の蓋アセンブリ。
【請求項２５】
前記リップは、前記飲み口に隣接し、かつ前記蓋本体の周縁に沿って延在する飲み口リップであり、前記リップカバー部分は、前記カムレバーが前記第１の位置にあるとき、前記周縁に沿って前記飲み口リップの少なくとも一部分を覆う、請求項２４に記載の蓋アセンブリ。
【請求項２６】
前記蓋本体は、円筒形状を有し、前記リップは、前記飲み口に隣接し、かつ前記蓋本体の周縁に沿って延在する飲み口リップであり、前記リップカバー部分は、前記カムレバーが前記第１の位置にあるとき、前記周縁に沿った前記飲み口リップの少なくとも一部分が位置付けられる凹部を有する、請求項２４に記載の蓋アセンブリ。
【請求項２７】
前記第１のカム軸が前記封止部材に連結されたとき、前記蓋アセンブリは、前記カムレバーが前記封止部材を前記封止位置と前記封止解除位置との間で動かすように動作可能である使用構成にあり、前記第１のカム軸が前記封止部材から連結解除されたとき、前記封止部材は、前記封止解除位置から離間され、かつその下にある洗浄位置に回転可能である、請求項１３に記載の蓋アセンブリ。
【請求項２８】
前記封止部材は、前記洗浄位置にあるとき、前記蓋本体に回動可能に取り付けられたままである、請求項２７に記載の蓋アセンブリ。
【請求項２９】
前記蓋本体は、前記第１のカムの側方外側でこれに隣接し、かつスロットを有する上方突出側壁をさらに含み、前記カムレバーは、前記第１のカムから側方に延在する保持部材であって、前記カムレバーを前記蓋本体に回転可能に連結し、かつ前記第１のカムが前記封止部材を前記封止位置と前記封止解除位置との間で動かすように回転されるときに前記第１のカムの前後運動を許容しつつ前記第１のカムの上方運動を抑制するように、前記スロット内に受容された、保持部材をさらに含む、請求項１３に記載の蓋アセンブリ。
【請求項３０】
前記スロットは、前記カムレバーの前記保持部材が前記スロット内に挿入され、かつ前記スロットから取り外されることを許容する開口を含み、前記第１のカム軸が前記封止部材から連結解除され、かつ前記保持部材が前記スロットから取り外されたとき、前記カムレバーは、前記封止部材及び前記蓋本体から分離可能である、請求項２９に記載の蓋アセンブリ。
【請求項３１】
飲料容器用の蓋アセンブリであって、
仕切り及び前記仕切りを通って延在する飲み口を有する蓋本体と、
前記蓋本体に回動可能に取り付けられ、前記飲み口を封止する封止位置と前記飲み口を封止解除する封止解除位置との間で回転可能に可動である封止部材と、
前記蓋本体に回転可能に連結されたカムレバーであって、前記カムレバーが、第１のカムを有するカムアームを含み、前記カムレバーが、前記第１のカムを回転させるように動作可能であり、第１のカム軸が、前記第１のカムの第１の側部から側方に延在し、かつ前記封止部材に取り外し可能に連結され、第２のカム軸が、前記第１のカムの反対側の第２の側部から側方に延在し、かつ前記蓋本体に連結され、前記第１のカムの回転が前記封止部材を前記封止位置と前記封止解除位置との間で動かす、カムレバーと、
前記第１のカムの回転を防止する係止位置と前記第１のカムの回転を許容する係止解除位置との間で摺動自在に可動な係止部材と、を備える、蓋アセンブリ。
【請求項３２】
前記係止部材は、本体部分及び前記本体部分から外方に突出する係止要素を含み、前記係止要素が、前記係止部材が前記第１のカムの回転を防止するように前記係止位置にあるとき、前記カムレバーの上面と係合するように適合された下方に面する表面を有する、請求項３１に記載の蓋アセンブリ。
【請求項３３】
前記係止要素は、前記係止部材の前方側部から延在する、請求項３２に記載の蓋アセンブリ。
【請求項３４】
前記係止部材は、係止部材本体部分及び前記係止部材本体部分から下方に延在するガイド部材をさらに含み、前記封止部材は、前記ガイド部材を摺動自在に受容するガイド経路を含み、前記ガイド部材が、前記係止部材が前記係止位置にある前記ガイド経路内の第１の位置と、前記係止部材が前記係止解除位置にある前記ガイド経路内の第２の位置との間で動くように適合されている、請求項３１に記載の蓋アセンブリ。
【請求項３５】
前記係止部材は、前記係止部材本体部分から下方に延在する内側部分をさらに含み、前記ガイド部材は、前記内側部分から外方に延在する、請求項３４に記載の蓋アセンブリ。
【請求項３６】
前記ガイド部材は、前記係止部材本体部分の反対側の前記内側部分の端部に配設されている、請求項３５に記載の蓋アセンブリ。
【請求項３７】
前記ガイド部材及び前記内側部分は合わせて、Ｔ字形断面を有する、請求項３５に記載の蓋アセンブリ。
【請求項３８】
前記封止部材及び前記係止部材のうちの一方は、戻り止め部分を有し、前記封止部材及び前記係止部材のうちの他方は、前記戻り止め部分を密着して受容するようにサイズ決め及び形状決めされた第１の受容部分を有する、請求項３１に記載の蓋アセンブリ。
【請求項３９】
前記第１の受容部分は、前記係止部材が前記係止位置及び前記係止解除位置のうちの一方にあるとき、前記戻り止め部分を受容する、請求項３８に記載の蓋アセンブリ。
【請求項４０】
前記封止部材及び前記係止部材のうちの前記他方は、前記戻り止め部分を密着して受容するようにサイズ決め及び形状決めされた第２の受容部分を有し、前記第２の受容部分は、前記第１の受容部分から離間されている、請求項３８に記載の蓋アセンブリ。
【請求項４１】
前記封止部材及び前記係止部材のうちの前記他方は、前記第１の受容部分及び前記第２の受容部分を接続する経路を有し、前記第１の受容部分は、前記係止部材が前記係止位置にあるとき、前記戻り止め部分を受容し、前記第２の受容部分は、前記係止部材が前記係止解除位置にあるとき、前記戻り止め部分を受容する、請求項４０に記載の蓋アセンブリ。
【請求項４２】
前記係止部材は、係止部材本体部分及び前記係止部材本体から延在するアーム部分を含み、前記封止部材は、前記封止部材に沿って前後方向に延在するガイド経路を含み、前記ガイド経路は、前記係止位置と前記係止解除位置との間の運動に対して前記係止部材を保持するように適合されている、請求項３２に記載の蓋アセンブリ。
【請求項４３】
前記アーム部分は、突起をさらに含み、前記ガイド経路は、前記係止部材を前記係止位置及び前記係止解除位置のうちの一方に保持するように前記突起と密着して係合するように適合された第１の受容部分を含む、請求項４２に記載の蓋アセンブリ。
【請求項４４】
前記ガイド経路は、前記第１の受容部分から離間された第２の受容部分をさらに含み、前記第２の受容部分が前記係止部材を前記係止位置及び前記係止解除位置のうちの他方に保持するように前記突起と密着して係合するように適合されている、請求項４３に記載の蓋アセンブリ。
【請求項４５】
前記ガイド経路は、前記第１の受容部分と前記第２の受容部分との間に位置付けられた突出部分をさらに含み、前記突出部分が、前記係止部材を前記係止位置または前記係止解除位置に保持するように前記突起に当接するように適合されている、請求項４４に記載の蓋アセンブリ。
【請求項４６】
前記係止部材本体の前記アーム部分は、第１の平坦部分を含み、前記封止部材の前記ガイド経路は、第２の平坦部分を含み、前記第１の平坦部分は、前記アーム部分が前記ガイド経路と係合されそこからの取り外しを防止するとき、前記第２の平坦部分に対向する、請求項４２に記載の蓋アセンブリ。
【発明の詳細な説明】
【技術分野】
【０００１】
本発明は、飲料容器用の取り外し可能な蓋、より正確には、封止要素を使用して飲み口を封止及び封止解除するための機構を有する蓋に関する。
【背景技術】
【０００２】
米国特許出願公開第２０１２／００３１９０２号及び米国意匠特許第Ｄ６５１，８４７号は、蓋のカバーを選択的に開閉するように回転するハンドルを有する飲料容器蓋を開示する。
【図面の簡単な説明】
【０００３】
【図１】第１の実施形態による蓋アセンブリの第１の上面斜視図を例示する。
【図２】後方位置のカムレバーを有する図１の蓋アセンブリの上面図を例示する。
【図３】前方位置のカムレバーを有する図１の蓋アセンブリの上面図を例示する。
【図４Ａ】図１の蓋アセンブリの蓋本体の上面斜視図を例示する。
【図４Ｂ】図４Ａの蓋本体の底面斜視図を例示する。
【図５Ａ】図１の蓋アセンブリの封止部材の上面斜視図を例示する。
【図５Ｂ】図５Ａの封止部材の側面図を例示する。
【図５Ｃ】図５Ａの封止部材の正面図を例示する。
【図６Ａ】図１の蓋アセンブリのカムレバーの上面斜視図を例示する。
【図６Ｂ】図６Ａのカムレバーの背面図を例示する。
【図６Ｃ】図６Ａのカムレバーの上面図を例示する。
【図６Ｄ】図６Ａのカムレバーの側面図を例示する。
【図７Ａ】図１の蓋アセンブリの係止部材の正面図を例示する。
【図７Ｂ】図７Ａの係止部材の側面図を例示する。
【図８】後方位置のカムレバー及び蓋アセンブリの飲み口を封止解除する封止解除位置の封止部材を有する図２の切断線８−８に実質的に沿ってとられた、図１の蓋アセンブリの第１の断面側面図を例示する。
【図９】後方位置のカムレバー及び封止解除位置の封止部材を有する図２の切断線９−９に実質的に沿ってとられた、図１の蓋アセンブリの第２の断面側面図を例示する。
【図１０】前方位置のカムレバー及び飲み口を封止する封止位置の封止部材を有する図３の切断線１０−１０に実質的に沿ってとられた、図１の蓋アセンブリの第１の断面側面図を例示する。
【図１１】前方位置のカムレバー、封止位置の封止部材、及び係止解除位置の係止部材を有する図３の切断線１１−１１に実質的に沿ってとられた、図１の蓋アセンブリの第２の断面側面図を例示する。
【図１２】飲料容器に取り付けられ、係止位置の係止部材を有する蓋アセンブリ図１１の第２の断面側面図を例示する。
【図１３】封止部材から係合解除されたカムレバー及び封止位置の封止部材を有する図１の蓋アセンブリの断面側面図を例示する。
【図１４】封止部材から係合解除されたカムレバー及び蓋アセンブリの飲み口から取り外された封止部材を有する図１の蓋アセンブリの断面側面図を例示する。
【図１５】前方位置のカムレバーを有する第２の実施形態による蓋アセンブリの上面斜視図を例示する。
【図１６】後方位置のカムレバーを有する図１５の蓋アセンブリの第２の上面斜視図を例示する。
【図１７】図１５の蓋アセンブリの蓋本体の上面斜視図を例示する。
【図１８】図１７の蓋本体の上面図を例示する。
【図１９Ａ】図１５の蓋アセンブリの封止部材の側面斜視図を例示する。
【図１９Ｂ】図１９Ａの封止部材の上面斜視図を例示する。
【図１９Ｃ】図１９Ａの封止部材の取り付け要素の拡大図を例示する。
【図２０Ａ】図１５の蓋アセンブリのカムレバーの上面斜視図を例示する。
【図２０Ｂ】図２０Ａのカムレバーの上面図を例示する。
【図２０Ｃ】図２０Ａのカムレバーの正面図を例示する。
【図２１Ａ】図１５の蓋アセンブリの係止部材の正面図を例示する。
【図２１Ｂ】図２１Ａの係止部材の底面図を例示する。
【図２１Ｃ】図２１Ａの係止部材の側面図を例示する。
【図２２Ａ】係止解除位置の係止部材を有する図１５の蓋アセンブリの断面上面図を例示する。
【図２２Ｂ】係止位置の係止部材を有する図１５の蓋アセンブリの断面上面図を例示する。
【図２３Ａ】カムレバー及び後方位置を有する図１５の蓋アセンブリの上面図を例示する。
【図２３Ｂ】図２３Ａの切断線２３Ｂ−２３Ｂに実質的に沿ってとられた、図２３Ａの蓋アセンブリの第１の断面側面図を例示する。
【図２３Ｃ】図２３Ａの切断線２３Ｃ−２３Ｃに実質的に沿ってとられた、図２３Ａの蓋アセンブリの第２の断面側面図を例示する。
【図２４Ａ】前方位置に回転されたカムレバーを有する図１５の蓋アセンブリの上面図を例示する。
【図２４Ｂ】係止解除位置の係止部材を有する図２４Ａの切断線２４Ｂ−２４Ｂに実質的に沿ってとられた、図２４Ａの蓋アセンブリの第１の断面側面図を例示する。
【図２４Ｃ】図２４Ａの切断線２４Ｃ−２４Ｃに実質的に沿ってとられた、図２４Ａの蓋アセンブリの第２の断面側面図を例示する。
【図２４Ｄ】係止位置の係止部材を有する図２４Ａの蓋アセンブリの第３の断面側面図を例示する。
【図２５Ａ】封止部材から係合解除されたカムレバーを有する図１５の蓋アセンブリの上面図を例示する。
【図２５Ｂ】封止部材から係合解除されたカムレバーを有する図２５Ａの切断線２５Ｂ−２５Ｂに実質的に沿ってとられた、図１５の蓋アセンブリの断面側面図を例示する。
【図２５Ｃ】封止部材から係合解除されたカムレバー及び飲み口から取り外された封止部材を有する図１５の蓋アセンブリの断面側面図を例示する。
【発明を実施するための形態】
【０００４】
第１実施形態による蓋アセンブリ１０が図１に示される。蓋アセンブリ１０は、上部分１４及び下部分１６を有する実質的に円筒状の蓋本体１２を有する。蓋本体１２は、飲料を消費するために通る飲み口１８を有する仕切り１７を含む。カムレバー２０は、封止部材２２（図５Ａ参照）を選択的に封止及び封止解除し、それぞれ、飲み口１８を閉じる、及び開くように動作可能である。係止部材２４は、カムレバー２０の位置を選択的に固設及び固設解除するように動作可能である。
【０００５】
カムレバー２０が、カムレバーの下面２０Ｌが上部分１４の前方上面部分に最接近する第１の位置に動かされるとき、封止部材２２は、図３、１０及び１１に示されるように、下から飲み口１８に対して押し込まれる封止位置にある。カムレバー２０が、カムレバーの上面２０Ｕが上部分１４の後方部分に最接近する第２の位置に動かされるとき、図２、８及び９に示されるように、封止部材２２は、飲み口１８から下に離間された封止解除位置にある。
【０００６】
蓋本体１２は、図１、２、３及び４Ａに示されるように、上部分１４に沿って前方端部と後方端部との間に水平方向に延在する細長い凹部２６を伴って提供され得る。細長い凹部２６は、前方端部において飲み口リップ２７で終結し、これは、飲み口１８の前方端部から上方に突出し、蓋本体１２の形状に追従して曲線形状を有し得る。細長い凹部２６は、飲み口１８の反対側で飲み口１８の上に上方に突出する左右の側壁２８を含む。細長い溝またはスロット３０が、細長い凹部２６の中心部分近傍で左右の側壁２８の各々内に提供され、側壁に沿って延在する長さを有する。蓋本体１２は、蓋本体１２の上部分側に飲み口１８の左側及び右側の周囲に仕切り上面２９を有する。仕切り上面２９は、図４Ａ、８及び１０に示されるように、飲み口リップ２７の反対の細長い凹部２６の後方端部で高い部分２５に向かって上方に傾斜し得る。ハンドル２３が、蓋アセンブリ１０及びそれに取り付けられた飲料容器９０を運ぶかまたは取り付けるために細長い凹部の後方端部で回動可能に取り付けられ得る（図１２参照）。
【０００７】
蓋本体１２の下部分１６は、図４Ｂ、８、９、１０、１１及び１２に示されるように、下方に開口する開放キャビティ３３を形成するように下方に突出して全周に延在する側壁３２を含み得る。飲み口１８は、蓋本体１２の下部分側で仕切り下面３５を通って延在する。側壁３２は、図１２に示される、飲料容器９０の対応するねじ山付き部分に螺着可能であり得る、ねじ山付き部分等の容器取り付け部分３４を伴って提供され得る。容器取り付け部分３４は、バヨネットマウントまたは摩擦嵌め等の蓋アセンブリ１０を飲料容器９０に液密構成で取り外し可能に結合する他の取り付け機構を使用してもよく、蓋アセンブリ１０を飲料容器９０に封止することを補助するようにサイズ決めされたＯリングまたはガスケットを含んでもよい。
【０００８】
図５Ａ、５Ｂ及び５Ｃに示される封止部材２２は、飲み口１８内に密着して嵌まるようにサイズ決め及び形状決めされる封止部材上部分２２Ｕを有する。封止部材２２の下部分２２Ｌは、飲み口の全周の周囲に延在する下部分１６の仕切り下面３５との封止係合によって下から飲み口１８を覆って封止するように上部分２２Ｕよりも大きいサイズを有する。下部分１６は、離間され、下方に突出する、封止部材フランジまたは取り付け部分３６（図４Ｂ参照）を伴って提供され、これに封止部材２２が、飲み口１８に対して封止位置と封止解除位置との間の封止部材の回転運動のために回動可能に取り付けられる。封止部材取り付け部分３６は、孔３７を各々含み、これらは、図８、１０及び１３に示されるように、封止部材２２の２つの側方外側に延在する回動ピン３８のうちの対応する１つをその中に回転可能に受容する。回動ピン３８の各々は、封止部材２２の下部分２２Ｌから後方に突出するアーム４０の後方端部に取り付けられる。封止部材取り付け部分３６及び封止部材２２は、飲み口１８を選択的に封止及び封止解除するように蓋本体１２への封止部材２２の回転自在な取り付けを提供する他の様式で、これに代えて構築されてもよい。
【０００９】
封止部材２２の取り付け要素４２は、封止部材上部分２２Ｕから上方に突出する。左右の軸挿入開口４４が、カムレバー及び封止部材の組み立てのために、これを通して、それぞれ、カムレバー２０の左右の同軸の第１のカム軸４６を受容するために取り付け要素４２の反対側に提供される。軸挿入開口４４は、図５Ａ、５Ｂ、８、１０及び１３に示されるように、封止部材２２との組み立て中に、対応する第１のカム軸４６の容易な挿入を促進するためにテーパ付きの後方に面する口部分を各々有する。左右の軸挿入開口４４は、それぞれを左右の同軸かつ横方向に配向された軸取り付けチャンバまたは受容部４８に導き、これは、ユーザによってカムレバーに回転力が適用されたとき、カムレバーが回転することを許容するスナップフィット関係でその中にカムレバー２０の対応するカム軸４６を取り外し可能に受容し、かつ確実に回転可能に保持するようにサイズ決め及び形状決めされる。封止部材２２の下部分２２Ｌは、飲み口１８よりも広い幅を有する周状に延在するフランジ部分５０を有し得る。フランジ部分５０は、弾性的に変形可能なガスケット５２（図８、９及び１０参照）を支持し得、これは、封止部材２２が封止位置にあるときの飲み口の全周の周囲に延在する蓋本体１２の下部分１６の仕切り下面３５と液密封止を形成する。経路ガイド部分６２は、取り付け要素４２を通って長手方向に延在する。
【００１０】
カムレバー２０は、左右の概して丸いまたは円形部分のカムローブ５４を有し、カムローブ５４は、左右に側方に離間されたレバーアーム５６のうちの対応する１つの端部上に各々配設され、レバーアーム５６は、図６Ａ及び６Ｄに示されるように、カムレバー本体部分５９から延在する。本実施形態において、レバーアーム５６は、その長さに沿った曲線形状を有する。いくつかの実施形態において、レバーアーム５６は、これに代えて、直線形状を有する。カムローブ５４は、カムローブ外周表面上に丸いカム係合表面５５を各々有する。各カム係合表面５５は、図６Ａ及び６Ｄに示されるように、接触面上部分５５Ｕ及び接触面下部分５５Ｌを有する。本実施形態において、カムレバー本体部分５９は、図６Ｂ及び６Ｃに示されるように、封止部材２２が、飲み口が閉じられた状態の封止位置にあるとき、飲み口１８の上に延在し、これを保護し、飲み口のためのカバーとして働く。突起５７が、図８及び９に示されるように、カムレバー本体部分５７の一方または両方の側方外側上に提供され得、突起５７は、飲み口リップ２７に対向する蓋本体１２の後方端部またはこの近傍で側壁２８のうちの対応する一方における対応する第１の凹部３１と係合することで、カムレバー２０を飲み口１８が開く封止解除位置に保持することを助ける。第２の凹部３３は、蓋本体１２の前方端部またはこの近傍で側壁２８のうちの一方または両方に提供され得、突起５７のうちの対応する１つが、図１０及び１１に示される封止位置にカムレバー２０を保持することを助けるように係合する。いくつかの実施形態において、レバーアーム５６は、細いシャフトまたはカムローブ５４から突出するシャフト等の異なる形状を有してもよい。柔らかいオーバーモールドが、レバーアームと蓋本体１２との間の摩耗を防止することを助けるためにレバーアーム５６の周表面の全てまたは一部の周囲に提供され得る。
【００１１】
左右の第１のカム軸４６は、左右のカムローブ５４のうちの対応する一方の内側から側方内側に各々突出し、断面が円筒状である。左右の同軸の第２のカム軸６０は、左右のカムローブ５４のうちの対応する一方の外側から側方外側に突出し、保持部材またはピンとして働く。第２のカム軸６０は、中心軸線Ａ上に両方位置し、第１のカム軸４６は、中心軸線Ｂ上に両方位置し、この周りをカムレバー２０が、その部分の上面２９との摺動係合においてカムローブ５４と共に封止部材２２に対して回転する。第２のカム軸６０の軸線Ａは、図６Ｂに示される配向にあるとき、第１のカム軸４６及び封止部材２２の軸線Ｂに対して実質的に平行であるが、垂直方向に下にオフセットしている。カムレバー２０が封止部材２２に取り付けられるとき、第１のカム軸４６の軸線Ｂは、封止部材２２の軸受容部４８の軸線と同軸である。カムレバー２０が、図１０及び１１に示されるように、飲み口１８が閉じられる第１の位置に前方に回転されるとき、第１のカム軸４６の軸線Ｂは、第２のカム軸６０の軸線Ａの上かつわずかに後方にある（図１１に概略的に示される）。カムレバー２０が、図８及び９に示されるように、飲み口１８が開かれる第２の位置に後方に回転されるとき、軸線Ｂは、軸線Ａのより後方かつ下にある。カムレバー２０が第１の位置に動かされるとき、第２のカム軸６０の軸線Ａは、細長いスロット３０に沿って第１の長手方向位置に位置する。カム２０が第２の位置に動かされるとき、軸線Ａは、細長いスロット３０に沿って第２の前方長手方向位置に位置し、これは、カムレバーが第１の位置にあるときよりも上部分１４の前方端部に近い。
【００１２】
いくつかの実施形態において、カムレバー２０は、上記の一対の第１のカム軸に代えて、カムローブ５４の内方に面する表面間に横方向に完全に延在し、かつこれらを接続する単一の第１のカム軸４６を有し得る。単一の第１のカム軸４６は、単一軸挿入開口４４内への挿入及び単一軸取り付け受容部４８内へのスナップフィットによって取り付け要素４２に取り付き得、単一軸挿入開口及び単一軸取り付け受容部の各々は、封止部材２２の取り付け要素４２の左右の側部間に完全に延在する。
【００１３】
カムレバーの第１の位置と第２の位置との間のカムレバー２０の運動全体を通して、カムレバーの第２のカム軸６０は、第２のカム軸６０の上方運動または下方運動を制限するスロット３０内に回転可能に係合される。第２のカム軸６０の軸線Ａは、このため、仕切り上面２９の上の実質的に同一距離に留まり、一方でカムレバー２０の回転は、第２のカム軸６０のカム軸線Ｂの前後運動及び上下運動を引き起こし、これは、第１のカム軸４６が回転可能に取り付けられる封止部材２２の上昇及び下降を生じさせる。カムレバー２０の係止棚状部６６は、以下に説明される係止要素を受容するためにカムローブ５４間に上方に面する表面を有する。係止棚状部６６は、図６Ａ及び６Ｃに示されるように、カムレバー本体部分５９から離れ、かつカムローブ５４の方に延在し得る。
【００１４】
係止部材２４は、封止位置にある封止部材２２を選択的に固設及び固設解除するように、封止部材２２の取り付け要素４２のガイド経路部分６２を通って前後に摺動自在に可動である。係止部材２４は、図７Ａ及び７Ｂに示されるように、その上部分に係止部材本体７４、係止部材本体から下方に延在する内側部分７２、及び内側部分７２の下端部にガイドプレート７０を含む。突起７８は、内側部分７２の一方または両方の側方側部上で係止部材本体７４から下方に突出または隆起し得る。接触面部分８０が、ユーザが係止部材２４を取り付け要素４２に対して前後に動かすことを容易化するために、ユーザの指による係合のために係止部材本体７４の上面上に提供される。接触面部分８０は、非限定的例によって、上方に突出するリッジもしくは隆起、及び／または加工付き表面等の係止部材２４の手動操作のための特徴部を含み得る。
【００１５】
カムレバー２０が第１の（前方）位置にあるとき（つまり、カムレバーの下面２０Ｌが上部分１４の前方上面部分に最接近するとき）、係止部材２４は、以下に説明するように、カムレバー２０が自由に回転可能である後方固設解除位置（図１０参照）と、カムレバーが定位置に固設される前方固設位置（図１２参照）との間でガイド経路部分６２に沿って摺動自在に動かされ得る。係止部材６４は、取り付け要素４２の上部分上に配設された係止部材本体７４（図７Ｂ参照）の前方側部から外方に突出し得る。
【００１６】
ガイド経路部分６２は、図１２に示される、前方に開口するガイド通路６８を含み、これを通って、係止部材２４のガイドプレート７０及び内側部分７２が摺動自在に動き得る。ガイド通路６８は、図５Ｃに示されるように、逆Ｔ字形断面を有し、上部分１４の前方端部と後方端部との間で水平方向に延在する。ガイドプレート７０は、ガイド通路６８の下部分６８Ｌ内に密着して嵌まるようにサイズ決め及び形状決めされた実質的に平坦形状を有し得（図５Ｃ及び１０参照）、これによって、封止部材２２に対する係止部材２４の側方運動及び／または垂直運動を制限する。係止部材２４の内側部分７２は、ガイドプレート７０の上面から上方、かつガイド通路６８の首部分６８Ｎを通って延在し、ガイドプレート７０を係止部材本体７４と結合する。取り付け要素４２の一部分は、係止部材本体７４の下面とガイドプレート７０の上面との間に位置付けられるかまたは挟まれる。
【００１７】
封止部材２２の取り付け要素４２の上面は、係止部材２４の一部分を固設することを助けるために係止部材本体７４の下面上に下方に隆起する突起７８と係合するようにサイズ決め及び形状決めされた、図５Ａに示される１つ以上の凹部７６を伴って提供され得る。１つ以上の凹部７６は、取り付け要素４２の上面上で上ガイド通路部分６８Ｕ（図５Ａ及び５Ｃ参照）の側方側部の方にオフセットされた一対の凹部であり得る。凹部７６の各々は、細い内側部分よりも相対的に広い幅を各々有する前方端部分７６Ｆと後方端部分７６Ｒとを接続する内側部分７６Ｍを有する細長い経路または細長い溝を備え得る。突起７８は、それぞれ、係止部材２４を固設解除位置及び固設位置に位置付けるように端部分７６Ｒと端部分７６Ｆとの間で内側部分７６Ｍに沿って前後に摺動する。対応する突起７８の各々は、それぞれ、固設位置または固設解除位置にあるとき、係止部材２４の長手方向の運動に抵抗するように、凹部７６の前方端部分７６Ｆまたは後方端部分７６Ｒと密着して係合し得る。
【００１８】
カムレバー２０は、蓋本体１２の飲み口リップ２７を覆うかまたは保護するために本体部分５９から外方に延在するリップカバー部分８２を含み得る。つまり、カムレバー２０が第１の位置にあるとき、リップカバー部分８２は、即座に飲み口リップ２７の上にあり得、かつこれに隣接し得るかまたは当接し得、その汚染を防止する。リップカバー部分８２は、図１０に示されるように、飲み口リップ２７の上方に突出する輪郭の少なくとも一部分に一致する及び／またはこれを囲むようにサイズ決め及び形状決めされた凹形状を含む下面を有し得る。リップカバー部分８２の凹形状は、飲み口リップ２７の曲線断面形状に追従するように曲がり得る。カムレバー２０は、その自由端に外方に突出する縁８４を含み得、これは、下方に面する表面を有し、カムレバー２０が第１の位置にあるとき、露出されることで、第１の位置から離れるカムレバーの容易な上方回転運動または後方回転運動のためのユーザによる係合を容易化する。
【００１９】
蓋アセンブリ１０の組み立てが、ここで説明されることになる。第一に、係止部材２４が、封止部材２２の取り付け要素４２と係合され得る。ガイドプレート７０及び係止部材２４の内側部分７２（図７Ａ及び７Ｂ参照）が、外方に突出し、かつ取り付け要素４２から離れる係止要素６４を伴って、前方に開口するガイド通路６８内に挿入される。係止部材２４は、各突起７８が凹部７６のうちの対応する１つと係合するまでガイド通路６８内に内方に押し込まれる。任意に提供されるガスケット５２はまた、封止部材２２の下部分２２Ｌのフランジ５０上に嵌められ得る。
【００２０】
第二に、飲み口１８の方に配向された取り付け要素４２を用いて、封止部材２２の回動ピン３８が蓋本体１２の下部分１６上の封止部材取り付け部分３６の間に位置付けられ、これにより、封止部材取り付け部分３６の対応する孔３７のうちの１つの中に入るために回動ピン３８の各々の自由端を位置付ける。回動ピン３８は、蓋本体１２への封止部材２２の回転可能な取り付けのために回動ピンを孔３７内に挿入するように解放されるとき、外方に弾力的に動かされ得る。回動ピン３８が孔３７内に挿入されるとき、封止部材２２は、封止部材取り付け部分３６の孔３７を中心とした、図８、１０及び１３に示される軸線Ｒ１の周りに蓋本体１２に対して回転し得る。このような様式において、封止部材２２は、第１の位置と第２の位置との間のカムレバー２０の回転によって、封止部材が、それぞれ、封止位置と封止解除位置との間で回転されるときに、軸線Ｒ１を中心とした円弧回転経路に沿って蓋本体１２に対して可動である。
【００２１】
第三に、封止部材２２が、封止部材２２の上部分２２Ｕを飲み口１８内に位置付けるように回転され、それにより、軸取り付け要素４２は、飲み口を通って蓋本体１２の細長い凹部２６内に上方に延在する。
【００２２】
第四に、レバーアーム５６の各々が、互いに向かって内方に圧迫され、左右の側壁２８上の対応するスロット３０と係合するようにそれぞれ整列された左右の第２のカム軸６０の各々を伴って細長い凹部２６内に挿入される。レバーアーム５６が解放されるとき、左右の第２のカム軸６０は、カムレバー２０を蓋本体１２に取り付けるために左右のスロット３０と係合する。カムレバー２０の第２のカム軸６０は、前方位置と後方位置との間で細長いスロット３０内に沿って摺動自在に動き得、レバーアーム５６は、第１の位置と第２の位置との間で軸線Ａの周りに回転し得る。
【００２３】
第五に、カムレバー２０が後方位置に動かされ、かつ封止部材２２が封止位置に動かされた状態で、カムレバー２０の第１のカム軸４６の各々が、封止部材２２の軸挿入開口４４の対応する後方に開口する口の中に挿入され、軸取り付け受容部４８内にスナップフィットされる。カムレバー２０は、蓋本体１２へのその直接取り付けを介して蓋アセンブリ１０に保持され、封止部材２２は、カムレバー２０へのその取り付けを介して細長い凹部２６内に保持される。第２のカム軸６０は、スロット３０内で蓋本体１２に対して自由に回転し得る。蓋アセンブリ１０が完全に組み立てられると、カムレバー２０は、以下に説明されるように、蓋アセンブリを封止構成と封止解除構成との間で選択的に変遷させるために、その第１の位置と第２の位置との間（つまり、第１の凹部３１と飲み口リップ２７の方に位置する第２の凹部３３との間）で前後に回転され得る。
【００２４】
蓋アセンブリ１０が封止構成にあるとき、封止部材２２は、図１０及び１１（それぞれ、図３の切断線１０−１０及び１１−１１に実質的に沿った断面図）に示されるように、蓋本体１２の飲み口１８を封止する封止位置にある。カムレバー２０のレバーアーム５６は、蓋本体１２の飲み口２７の方に位置付けられ、上に延在し、飲み口１８を覆って飲み口を保護し、封止部材２２の一部分が飲み口を封止する。カムレバー２０の下面２０Ｌは、仕切り上面２９に向かって下方に面する。カムレバー２０のリップカバー部分８２は、飲み口リップ２７を囲む、及び／または覆う。各カムローブ５４のカム係合表面５５の接触面下部分５５Ｌは、図１１（図３の切断線１１−１１に実質的に沿った断面図）に示されるように、その下の仕切り上面２９の一部分に接触する。封止位置にあるとき、カムローブ５４は、図１１に示されるように、細長いスロット３０のうちの対応する１つに沿って第１の長手方向位置に各々位置付けられているカムローブ５４の第２のカム軸６０と同時に仕切り上面２９との摺動係合にある。カムレバー２０がこの位置にあるとき、カムレバーは、その第１の位置にあり、第１のカム軸４６は、封止部材２２が、第１のカム軸へのその回転可能な取り付けを通して、その下部分２２Ｌが飲み口１８を封止している状態で保持される、接触面下部分５５Ｌ及び仕切り上面２９の十分に上の位置で軸線Ｂに沿って中心付けられる。つまり、第１のカム軸４６が中心付けられるときに沿う軸線Ｂは、第２のカム軸６０の軸線Ａの上にオフセットされる。第１のカム軸４６は、飲み口１８内で締りばめにある封止部材上部分２２Ｕを保持する仕切り上面２９の上の高い位置内に取り付け要素４２を位置付ける。封止部材下部分２２Ｌは、液密封止を形成するために仕切り下面３５に対して密着して押され、蓋アセンブリ１０が飲料容器９０に取り付けられるとき、飲料容器９０内の熱及び液体を保持することを助ける。封止部材の下部分２２Ｌ上に弾性変形ガスケット５２を有する封止部材２０を装着することは、液密封止をもたらすことをさらに補助する。
【００２５】
蓋アセンブリ１０が封止構成にあるとき、係止部材２４は、カムレバー２０を第１の位置に固設する前方位置と、カムレバーが第１の位置と第２の位置との間で自由に回転可能である後方位置との間で前後に動かされ得る。係止部材２４が前方位置にあるとき、係止要素６４の下方に面する表面は、図１２に示されるように、カムレバー２０の上方回転または後方回転を防止する係止棚状部６６の上方に面する表面に対向する。係止部材２４が、図１０に示される後方位置にあるとき、係止要素６４は、係止棚状部６６から移動させられ、カムレバー２０が第１の位置と第２の位置との間で回転されることを阻止しない。係止要素６４を係止棚状部６６と係合するために位置付けることは、封止部材２２を封止位置に固設し、飲み口１８の意図しない開口または取り付けられた飲料容器９０からの飲料のこぼれを防止することを助ける。
【００２６】
蓋アセンブリ１０が封止解除構成にあるとき、封止部材２２は、蓋本体１２の下部分１６の仕切り下面３５から離間され、かつこの下にある封止解除位置にあり、したがって、図８（図２の切断線８−８に実質的に沿った断面図）及び図９（図２の切断線９−９に実質的に沿った断面図）に示されるように、飲み口１８を開く。カムレバー２０のレバーアーム５６は、カムレバーが第２の位置位あるとき、蓋本体１２の細長い凹部２６の後方端部で高い部分２５の方に位置付けられる。レバーアーム５６がこの位置にあるとき、突起５７は、カムレバーを封止解除位置の封止部材２２を伴うその第２の位置に保持することを助けるために、蓋本体１２の後方端部近傍の第２の凹部３１と係合し得る。カムレバー２０の上面２０Ｕは、カムレバー２２がその第２の位置にあるとき、蓋本体１２の高い部分２５に面し、各カムローブ５４の接触面上部分５５Ｕは、仕切り上面２９と摺動係合にあるか、またはこのわずか上に位置付けられる。第１の位置から第２の位置へのカムレバー２０の回転中、カムローブ５４の第２のカム軸６０は、第１の長手方向位置の前方の第２の長手方向位置まで細長いスロット３０に沿って前方に動き得る。第１のカム軸４６は、仕切り上面２９に十分に近い位置で軸線Ｂに沿って中心付けられ、この位置は、封止部材２２が、カム軸へのその可能な取り付けを通して、十分に下に離間された位置で保持される位置であり、この位置は、その上部分２２Ｕが飲み口１８から離間され、かつその下にある位置であり、これによって、蓋アセンブリ１０が飲料容器９０に取り付けられたとき、液体が飲料容器９０から飲み口を通って流れることを許容する。
【００２７】
上記に説明される、第１の位置と第２の位置との間で前後するカムレバー２０の運動、及びそれぞれ、結果として生じる、飲み口１８を封止及び封止解除する封止位置と封止解除位置との間で前後する封止部材２２の運動は、図８、９、１０及び１１に概略的に示される。図８及び９において、蓋アセンブリは、封止解除位置にある封止部材２２と共に第２の位置にあるカムレバー２０を伴って概略的に示され、飲み口１８が開き、蓋アセンブリ１０が飲料容器９０に取り付けられたとき、液体が飲料容器９０から飲み口を通って流れることを許容する。カムレバー２０の第２の位置において、第１のカム軸４６の軸線Ｂは、蓋アセンブリ１０の側部から見たときに、第２のカム軸６０の軸線Ａの下かつ後方にある。
【００２８】
第２の位置から第１の位置に向かう反時計回り方向（図８に見られるように蓋アセンブリ１０の左側から見たとき）の蓋アセンブリ１０のカムレバー２０の回転（図１０に見られる）は、第２のカム軸６０が反時計回りに回転し、細長いスロット３０内で後方に動くことを引き起こす。同時に、カムレバー２０の反時計回り運動は、第１のカム軸４６の軸線Ｂが上方に動き、封止部材の取り付け要素４２を通して封止部材２２上に持ち上げる力を適用することによって封止部材２２を上方に持ち上げることを引き起こし、飲み口１８を囲む仕切り下面３５との係合に向けて封止部材上部分２２Ｕを上方に動かす。
【００２９】
さらに図１０及び１１に示される第１の位置へのカムレバー２０の反時計回りの回転は、第２のカム軸６０が反時計回りに回転し続け、蓋本体１２の後方端部の方に細長いスロット３０内を後方に動くことを引き起こす。同時に、この運動は、第１のカム軸４６の軸線Ｂのさらに上方への運動を引き起こすことで、封止部材２２を上方に動かし、かつ封止部材の取り付け要素４２を通して封止部材２２上に持ち上げる力を適用することによって封止部材２２を上方に持ち上げ、飲み口１８を囲む仕切り下面３５との封止係合に封止部材上部分２２Ｕを動かす。同時に、この運動は、第１のカム軸４６の軸線Ｂが前方に動き、かつ第２のカム軸６０の軸線Ａの上を通過することを引き起こし、カム越しの中心運動を提供し、この運動は、カムレバー２０が図１０及び図１１の第１の位置にあるとき、カムレバー中心の意図しない時計回りの回転に抵抗し、かつ封止部材上部分２２Ｕを仕切り下面３５との液密封止係合に保持しようとする。
【００３０】
説明された動きは、カムレバー２０が第１の位置から第２の位置に動かされるとき、逆転される。
【００３１】
カムレバー２０が、封止部材２２及び蓋本体１２に取り付けられ、かつ封止部材を封止位置と封止解除位置との間で動かすように動作可能であるとき、蓋アセンブリ１０は、ユーザが選択的に飲み口１８を封止及び封止解除し得る使用構成にある。使用構成において、蓋アセンブリ１０は、細長いスロット３０内に係合された第２のカム軸６０、軸取り付け受容部４８内に係合された第１のカム軸４６、及び封止部材取り付け部分３６内に係合された回動ピン３８を用いて組み立てられる。カムレバー２０は、蓋アセンブリの構成部品がより完全に洗浄され得る洗浄構成に蓋アセンブリ１０を変遷させるために封止部材２２から係合解除され得る。
【００３２】
洗浄構成において、十分な力が、第１のカム軸４６を軸取り付け受容部４８から係合解除するために蓋本体１２の後方端部に向かう後方方向にカムレバー２０に適用され得る。その後、第１のカム軸４６が軸挿入開口４４から取り外され、これによって、図１３に示されるように、カムレバー２０が封止部材２２から係合解除される。カムレバー２０が封止部材２２から係合解除されたことにより、封止部材は、軸線Ｒ１を中心とした円弧回転経路の周りに下方に自由に回転可能であり、かつ封止部材は、図１４に示されるように、取り付け具４２が飲み口１８から引き下げられる下方位置に時計回り（図１３に見られるように蓋アセンブリ１０の左側から見たとき）に回転され得る。同時に、第２のカム軸６０が細長いスロット３０内に保持され、カムレバー２０がスロット３０の前後方向に前後に動くことを許容する。第２のカム軸６０は、細長いスロット３０の高い最後方端部３０Ｒに動かされ得、カムレバー２０は、飲み口１８を露出するように時計回り（左側から見たとき）に回転され得る。洗浄構成において、取り付けられた飲料容器９０内の飲料は、飲み口１８を通して迅速に排除され、蓋アセンブリ１０の構成部品は、蓋アセンブリを飲料容器から取り外すことなく完全に洗浄され得る。さらに、洗浄構成における蓋アセンブリ１０の構成部品は、飲料容器９０から取り外されたとき、完全に洗浄されてもよい。洗浄後、カムレバー２０は、蓋アセンブリ１０を使用構成に戻すように変遷させるために封止部材２２と再係合され得る。
【００３３】
第２実施形態による蓋アセンブリ１００が図１５及び１６に示される。蓋アセンブリ１００は、上部分１０４及び下部分１０６を有する実質的に円筒状の蓋本体１０２を有する。蓋本体１０２は、細長い飲み口１０８を含み、これを通って液体が流れ得る。カムレバー１１０は、封止部材１１２を選択的に封止及び封止解除し、それぞれ、飲み口１０８を閉じる、及び開くように動作可能である。係止部材１１４は、カムレバー１１０の位置を選択的に固設及び固設解除するように動作可能である。蓋アセンブリ１００は、蓋アセンブリ１０に実質的に類似である動作的特徴及び構造的特徴を有し、これらの説明は、既に上記に含まれていることから簡潔さのために省略される。
【００３４】
蓋本体１０２は、図１７及び１８に示されるように、上部分１０４に沿って前方端部と後方端部との間で水平方向に延在する第１の細長い凹部１１６を含み得る。第１の細長い凹部１１６は、前方端部において飲み口リップ１１８で終結し、これは、飲み口１０８の前方端部から上方に突出し、蓋本体１０２の形状に追従して曲線形状を有し得る。第１の細長い凹部１１６は、飲み口の反対側で飲み口１０８の上に上方に突出する左右の側壁１２０を含む。図１７を参照すると、左右の側壁１２０の各々は、側壁の他の部分を越える厚さを有する側方に延在するパネル部分１２１を含み得る。第２の細長い溝または凹部１２２は、左右の対向する側壁１２０のパネル部分１２１の各々内に内方に陥凹し、各第２の凹部１２２は、対向する左右の側壁に沿って長手方向に延在する長さを有する。各細長い第２の凹部１２２は、カムレバー及び蓋本体１０２の組み立て及び分解のためにカムレバー１１０の第２のカム軸１２６を細長い凹部内に受容するための上方に開口する第２の軸挿入開口１２４を含むＬ字形状を有する。第２の軸挿入開口１２４は、各第２の凹部１２２の前方端部の方に位置し得るが、他の位置も考えられる。各細長い第２の凹部１２２は、その後方端部の方に位置する閉鎖端部分１２８で終結し得、第２の凹部内の第２のカム軸１２６の更なる後方への長手方向運動を防止する。下部分１０６及びその中に下方に延在するキャビティは、上記の蓋本体１２に実質的に類似の構造を有し、このためその例示及び説明が省略される。
【００３５】
カムレバー１１０は、構造がカムレバー２０に類似であり、２つの概して丸いまたは円形のカムローブ１３０を有し、図２０Ａに示されるように、レバーアーム１３２の端部上に各々配設される。カムローブ１３０は、飲み口１０８に隣接する蓋上面１３５に接触するカムローブ外周表面上に丸いカム係合表面１３４を各々有する。各カム係合表面１３４は、図２０Ａ及び２０Ｃに示されるように、側方方向において接触面下部分１３４Ｌよりも厚い接触面上部分１３４Ｕ及び／または接触面後部分１３４Ｒを含み得る。レバーアーム１３２は、図１５に示されるように、封止部材１１２が、飲み口が閉じられる状態の封止位置にあるとき、飲み口１０８の上に延在し、これを保護し、飲み口のためのカバーとして働く本体部分１３２Ａ（図２０Ｂ参照）から延在する。本体１０２に取り付けられたとき、カムレバー１１０は、上記に説明され、それぞれ図１５及び１６に示されるように、前方の第１の位置と後方の第２の位置との間で回転するように動作可能である。カムレバー１１０の遠位端部１３３は、図２３Ａ及び２４Ｂに示されるように、カムレバー１１０が第１の位置にあるとき、飲み口リップ１１８を越えて周囲に延在し得、飲み口の汚染を防止することを助け、かつカムレバーを後方かつ第１の位置から離れるように回転させるためにユーザが上方に押し込み得る下縁を提供する。
【００３６】
左右の同軸の第１のカム軸１４２は、カムローブ１３０の各々の側方内側に面する側部から側方内側に突出し、第２のカム軸１２６は、カムローブ１３０の各々の側方外側に面する側部から突出する。左右の第２のカム軸１２６は、軸線Ｄと同軸かつこれに沿って中心付けられ、第１のカム軸１４２は、軸線Ｄからオフセットされた軸線Ｃに沿って中心付けられる。具体的には、第１のカム軸１４２の軸線Ｃは、図２０Ｂ及び２０Ｃに示されるように、第２のカム軸１２６の軸線Ｄの前方かつ上に位置付けられる。第２のカム軸よりも大きい直径を有する円筒状スペーサ部分１３６が、図２０Ａに示されるように、カムローブ１３０の各外方に面する側部上に各第２のカム軸１２６の基部を放射状に囲み得る。カム軸１２６が細長い第２の凹部１２２と係合されるとき、スペーサ部分１３６は、カムローブ１３０を側壁から離間し、かつ第１の細長い凹部１１６内のカムレバー１１０の側方運動を防止するために、側壁１２０またはそのパネル部分１２１に当接し得る。
【００３７】
図１９Ａ、１９Ｂ、１９Ｃ及び１９Ｄに示される封止部材１１２は、封止部材２２に類似の様式で飲み口１０８を封止するように動作可能であるが、異なる構造を有してもよい。封止部材１１２は、飲み口１０８内に密着して嵌まるようにサイズ決め及び形状決めされる封止部材上部分１１２Ｕを有する。封止部材下部分１１２Ｌは、飲み口の全周の周囲に延在する、下部分１０６の蓋下面１１３との封止係合によって下から飲み口１０８を覆って封止するように上部分１１２Ｕよりも大きいサイズを有する。封止部材１１２は、上記に説明された蓋本体１２への封止部材２２の回転自在な取り付けに類似の様式で蓋本体１０２に回転自在に取り付けられる。
【００３８】
封止部材１１２の封止部材上部分１１２Ｕから上方に突出する上方に延在する取り付け要素１３８は、カムレバー１１０の左右の第１のカム軸１４２をそれぞれ受容するための左右の軸挿入開口１４０を含む。軸挿入開口１４０は、封止部材１１２との組み立て中にそれぞれの第１のカム軸１４２の容易な挿入を促進するためにテーパ付きの前方に面する口部分を各々有する。軸挿入開口１４０は、封止部材２２に関して上記に説明されたように、封止部材１１２の後方端部に面する側部ではなく、前方端部に面する側部（つまり、飲み口リップ１１８近傍またはそこの蓋本体１０２の前方端部により近い）からそれぞれの第１のカム軸１４２を受容する。左右の軸開口１４０は、それぞれを左右の軸取り付け受容部１４４に導き、これらは、ユーザによってカムレバーに回転力が適用されたとき、カムレバーが回転することを許容するスナップフィット関係でその中にカムレバー１１０の第１のカム軸１４２のうちの対応する１つを取り外し可能に受容し、かつ確実に回転可能に保持するように各々サイズ決め及び形状決めされる。
【００３９】
長手方向に延在するガイド経路部分１４６は、取り付け要素１３８の上側部上に中空逆Ｔ字形断面を有するガイド通路を有する。係止部材１１４は、封止位置にある封止部材１１２を選択的に固設及び固設解除するように、ガイド経路部分１４６に沿って前後に摺動可能に可動である。ガイド経路部分１４６のガイド通路は、封止部材１１２の上部分１１２Ｕの上面に対して鋭角で直線状に延在し得、開放後端部１４６Ｒに対向する開放前端部１４６Ｆを有し得る。
【００４０】
係止部材１１４は、取り付け要素１３８に取り付けられ、前方位置と後方位置との間で摺動可能に動き得る。係止部材１１４の係止要素１４７は、係止部材本体１５０の前側部から外方に突出する。係止部材１１４の係止部材本体１５０の下側部上のガイド部材１４８は、封止部材１１２と係止部材との組み立てのためのガイド経路部分１４６のガイド通路と係合し得る。具体的には、ガイド部材１４８の前端部分１４８Ｆは、封止部材１１２と係止部材１１４とを組み立てるためにガイド通路１４６の後端部分１４６Ｒ内に挿入され押し込まれ得る。
【００４１】
左右のアーム１５２は、図２１Ａに例示されるように、係止部材本体１５０の左右の後側部分から下方にそれぞれ延在する。左右の突起１５３は、左右のアーム１５２の各々の遠位端部から側方内側に突出または隆起する。封止部材１１２の取り付け要素１３８は、左右の後方に開口する戻り止め挿入開口１５５を含み得、これらは、係止部材１１４の左右の係止部材戻り止め１５３をそれぞれ受容する。封止部材１１２は、図１９Ｃ、２２Ａ及び２２Ｂに最良に示されるように、戻り止め挿入開口１５５の口近傍に提供されたラッチ部分１５７を有し、これは、それぞれの戻り止め挿入開口内でその中に一度挿入されると、係止部材戻り止め１５３と係合し、かつこれを保持することを助ける。ラッチ部分１５７は、各戻り止め挿入開口１５５の口から離れて内方に面する実質的平坦部分１５７Ｆを含み得る。係止部材戻り止め１５３は、後方に面する実質的平坦部分１５３Ｆを各々含み、これらは、戻り止め１５３が戻り止め挿入開口１５５内でラッチ部分１５７を越えて挿入された後、ラッチ平坦部分１５７Ｆと当接し得ることで、取り付け要素１３８に対する係止部材１１４の後方運動を制限し、かつ封止部材１１２からの係止部材の意図しない分離を防止することを助ける。突起１５９は、戻り止め挿入開口１５５の側部、上部または底部から内方に隆起または膨れ得る。突起１５９は、戻り止め挿入開口１５５の口に最も近い戻り止め挿入開口の第１の区分１５５Ａと戻り止め挿入開口の末端に最も近い第２の区分１５５Ｂとの間に位置付けられる。
【００４２】
係止部材１１４の左右のアーム１５２の各々の表面１５４は、前方方向に面する。左右のアームの各々の表面１５４は、係止部材１１４が、所定前方係止部材位置を越えるガイド経路部分１４６のガイド通路内のガイド部材１４８の前方運動を制限するようにそこに取り付けられるとき、それぞれ、取り付け要素１３８の左右の後方に面する停止表面１５６に当接し得る。表面１５４及び停止表面１５６は、所定係止部材位置で互いに係合するように形状決めされた相補的凹凸表面であり得る。
【００４３】
封止部材１１２、係止部材１１４及び蓋本体１０２の組み立ては、蓋アセンブリ１０に関して説明された封止部材２２、係止部材２４及び蓋部材１２の組み立てに実質的に類似である。この第２実施形態において、しかしながら、係止部材１１４は、係止部材１１４をアセンブリ要素１３８の前端部分ではなく後端部分内に挿入することによって封止部材１１２と組み立てられる。係止部材１１４の戻り止め１５３は、上記に説明されたように、封止部材１１２の戻り止め挿入開口１５５との間の確実な組み立てのために、封止部材１１２の戻り止め挿入開口１５５と係合する。
【００４４】
封止部材１１２、カムレバー１１０及び蓋本体１０２の組み立ては、蓋アセンブリ１０に関して説明された封止部材２２、カムレバー２０及び蓋本体１２の組み立てに類似である。しかしながら、この第２実施形態において、カムレバー１１０は、図２４Ｂ及び２５Ｂに示されるように、第２のカム軸１２６を第２の軸挿入開口１２４を通して、細長い第２の凹部１２２内に挿入することによって蓋本体１０２と組み立てられる。加えて、カムレバー１１０は、軸挿入開口１４０の後方に面する口部分ではなく、前方に面する口部分を介して係合された第１のカム軸１４２を介して取り付けられる。
【００４５】
一度、蓋アセンブリ１００が組み立てられると、カムレバー１１０の動作は、上記に説明されたように、カムレバー２０に類似であり、それぞれ飲み口１０８を封止及び封止解除する封止位置と封止解除位置との間で前後に封止部材１１２を動かす。カムレバー１１０が、レバーアーム１３２の下面１３２Ｌが上部分１０４の前方上面部分に最も近く、かつ封止部材１１２が飲み口１０８を封止している第１の位置にあるとき、係止部材１１４は、カムレバーを第１の位置に固設する前方位置とカムレバーが自由に回転され得る後方位置との間で動かされ得る。係止部材１１４が前方位置にあるとき、図２４Ｄに示されるように、係止部材１４７の下方に面する表面は、カムレバー１１０の上方回転または後方回転を防止するように係止受容部１５８の上方に面する表面に対向する。加えて、戻り止め挿入開口１５５の突起１５９の前側部は、図２２Ｂに示されるように、突起１５３の後部分と接触するかまたは当接することで、戻り止めを戻り止め挿入開口の第２の区分１５５Ｂ内に保持することを助け、これによって、係止部材１１４がユーザによる十分な力の適用なしで第１の位置から離れるように動かされることを防止することを助ける。係止部材１１４が後方位置にあるとき、係止部材１４７の下方に面する表面は、図２４Ｂに示されるように、係止受容部１５８の後方であり、カムレバー１１０の回転と干渉しない。突起１５９の後側部は、図２２Ａに示されるように、突起１５３の前部分と接触または当接し得ることで、戻り止め挿入開口の第１の区分１５５Ａを保持することを助け、これによって、係止部材１１４をユーザによる十分な力の適用なしで第２の位置から離れるように動かされることを防止することを助ける。
【００４６】
飲み口１０８を封止する封止位置と飲み口を封止解除する封止解除位置との間で封止部材１１２を変遷させる蓋アセンブリ１００の動作は、蓋アセンブリ１０の動作に類似である。蓋アセンブリ１００が封止解除構成にあるとき、封止部材１１２は、図２３Ｂ（図２３Ａの切断線２３Ｂ−２３Ｂに実質的に沿った断面図）及び図２３Ｃ（図２３Ａの切断線２３Ｃ−２３Ｃに実質的に沿った断面図）に示されるように、蓋本体１０２の飲み口１０８を封止解除する封止解除位置にある。側壁１２８の一方または両方から内方に突出する突起１３１は、カムレバーを封止解除位置に保持するためにカムレバーが後方に回転されるとき、カムレバー１１０の幅広本体部１１０Ａに当接し得る。
【００４７】
第２のカム軸１２６の軸線Ｄは、細長い第２の凹部１２２内の第１の位置に位置する。封止部材１１２が封止解除位置（図２３Ｂ及び２３Ｃ）にある状態でカムレバー１１０が第２の位置にあるとき、カムレバー１１０は、第１のカム軸１４２の軸線Ｃの前方（つまり、蓋本体１１２の前方端部により近い）かつ上に位置する。カムレバー１１０が、カムレバーを第１の位置、かつ封止部材１１２を封止解除位置から封止位置に変遷させるために蓋本体１１２の前方端部の方に反時計回り（図２３Ｂに見られるように蓋アセンブリ１００の左側から見たとき）に回転されるとき、第２のカム軸１２６の軸線Ｄは、細長い第２の凹部１２２内で後方（つまり、蓋本体１０２の後方端部の方）に動く。同時に、軸線Ｄは、軸線Ｃの周りに反時計回りに軸線Ｃの下かつ後方の位置に動く（図２４Ｂ及び２４Ｃ参照）。蓋アセンブリ１００が封止構成にあるとき、封止部材１１２は、図２４Ｂ（図２４Ａの切断線２４Ｂ−２４Ｂに実質的に沿った断面図）、２４Ｃ（図２４Ａの切断線２４Ｃ−２４Ｃに実質的に沿った断面図）及び２４Ｄに示されるように、蓋体１０２の飲み口１０８を封止する封止位置にある。第２のカム軸１２６の軸線Ｄは、封止部材１１２が封止位置にあり、かつ第１のカム軸１４２の軸線Ｃの後方及び下に位置する状態でカムレバー１１０が第１の位置にあるとき、第１の長手方向位置の後方にある細長い第２の凹部１２２内の第２の位置にある。取り付け要素１３８へのカムレバー１１０の取り付けは、封止部材下部分１１２Ｌ及び／または封止部材上部分１１２Ｕが、蓋アセンブリ１００に関して上記に説明されたように、カムレバーを回転させることによって飲み口１０８を封止する位置と封止解除する位置との間で動くことを可能にする。
【００４８】
カムレバー１１０が封止部材１１２を封止解除位置において封止位置間で動かすように動作可能であるとき、蓋アセンブリ１００は、ユーザが飲み口１０８を選択的に封止及び封止解除し得る構成にある。使用構成において、蓋アセンブリ１００は、細長い第２の凹部１２２と係合された第２のカム軸１２６、軸取り付け受容部１４４と係合された第１のカム軸１４２、及び蓋本体１０２に回転自在に取り付けられた封止部材１１２を用いて組み立てられる。カムレバー１１０は、蓋アセンブリ１００を蓋アセンブリの構成部品がより完全に洗浄され得る洗浄構成に変遷させるように封止部材１１２から係合解除され得る。
【００４９】
洗浄構成において、第１のカム軸１４２は、軸取り付け受容部１４４から係合解除され、軸挿入開口１４０から取り外され、これによって、図２５Ｂ（図２５Ａの切断線２５Ｂ−２５Ｂに実質的に沿った断面図）に示されるように、カムレバー１１０と封止部材１１２とを係合解除する。図２５Ｃに示されるようにカムレバー１１０が封止部材１１２から係合解除されたことにより、封止部材は、軸線Ｒ２を中心とした円形回転経路の周りに反時計回りに回転可能であり、かつ封止部材は、取り付け要素１３８が飲み口１０８から引き下げられる下方位置に回転され得る。同時に、第２のカム軸１２６は、細長い第２の凹部１２２内に保持され、カムレバー１１０が第２の凹部の前後方向に前後に動くことを許容する。第２のカム軸１２６は、細長い第２の凹部１２２の端部分１２８に最も近い後方位置から第２の軸挿入開口１２４に最も近い前方位置に摺動自在に動き得、第１のカム軸１４２は、軸挿入開口１４０の外に動かされ得、これによって、封止部材１１２が軸線Ｒ２の周りに自由に回転することを許容する。自由に回転可能であるとき、封止部材１１２は、下方に回転され得、これによって、蓋アセンブリ１００の簡便かつ完全な洗浄を促進するために取り付け要素１３８を飲み口１０８から引き下げる。第２のカム軸１２６は、洗浄のためにカムレバー１１０を蓋本体１０２から取り外すために、上方かつ第２の軸挿入開口１２４を通って摺動し得る。
【００５０】
説明された動きは、蓋アセンブリ１００を洗浄構成から使用構成に戻すように変遷させるために逆転され得る。
【００５１】
加えて、本開示の実施形態は、以下の条項を考慮して説明され得る。
１．飲料容器用の蓋アセンブリであって、
飲み口を有する蓋本体と、
蓋本体に回動可能に取り付けられ、飲み口を封止する封止位置と飲み口を封止解除する封止解除位置との間で回転可能に可動である封止部材と、
蓋本体に回転可能に連結されたカムレバーであって、カムレバーが、第１のカムを有し、かつ第１のカムを回転させるように動作可能であり、第１のカムが、第１のカムから側方に延在し、かつ封止部材に取り外し可能に連結された第１のカム軸を有し、第１のカムの回転が、第１のカム軸に封止部材を封止位置と封止解除位置との間で動かすことを行わせる、カムレバーと、を備える、蓋アセンブリ。
２．カムレバーは、第２のカムをさらに含み、カムレバーの回転が、封止部材を封止位置と封止解除位置との間で動かすように第１のカム及び第２のカムを同時に回転させるように動作可能である、第１項に記載の蓋アセンブリ。
３．カムレバーは、第２のカムから側方に延在し、かつ封止部材に取り外し可能に連結された第２のカム軸をさらに含み、第２のカム軸の回転が、第２のカム軸に封止部材を封止位置と封止解除位置との間で動かすことを行わせる、第１項または第２項に記載の蓋アセンブリ。
４．第１のカム及び第２のカムは、カムレバーの反対側方側部上に側方に離間される、第３項に記載の蓋アセンブリ。
５．蓋本体は、上方突出リップをさらに含み、カムレバーは、カムレバーが封止部材を封止位置に動かしたとき、リップを覆うようにサイズ決め及び形状決めされたカバー部分をさらに含む、第１項〜第４項のいずれか１項に記載の蓋アセンブリ。
６．蓋本体は、上方突出リップをさらに含み、カムレバーは、リップカバー部分をさらに含み、カムレバーが、封止部材が封止位置にある第１の位置と封止部材が封止解除位置にある第２の位置との間で回転可能であり、リップカバー部分が、カムレバーが第１の位置にあるとき、リップを覆う位置にある、第１項〜第５項のいずれか１項に記載の蓋アセンブリ。
７．リップは、飲み口に隣接し、かつ蓋本体の周縁に沿って延在する飲み口リップであり、リップカバー部分は、カムレバーが第１の位置にあるとき、周縁に沿って飲み口リップの少なくとも一部分を覆う、第６項に記載の蓋アセンブリ。
８．蓋本体は、円筒形状を有し、リップは、飲み口に隣接し、かつ蓋本体の周縁に沿って延在する飲み口リップであり、リップカバー部分は、カムレバーが第１の位置にあるとき、周縁に沿った飲み口リップの少なくとも一部分が位置付けられる凹部を有する、第６項に記載の蓋アセンブリ。
９．第１のカム軸が封止部材に連結されたとき、蓋アセンブリは、カムレバーが封止部材を封止位置と封止解除位置との間で動かすように動作可能である使用構成にあり、第１のカム軸が封止部材から連結解除されたとき、封止部材は、封止解除位置から離間され、かつその下にある洗浄位置に回転可能である、第１項〜第８項のいずれか１項に記載の蓋アセンブリ。
１０．封止部材は、洗浄位置にあるとき、蓋本体に回動可能に取り付けられたままである、第９項に記載の蓋アセンブリ。
１１．蓋本体は、第１のカムの側方外側でこれに隣接し、かつスロットを有する上方突出側壁をさらに含み、カムレバーは、第１のカムから側方に延在する保持部材であって、カムレバーを蓋本体に回転可能に連結し、かつ第１のカムが封止部材を封止位置と封止解除位置との間で動かすように回転されるときに第１のカムの前後運動を許容しつつ第１のカムの上方運動を抑制するように、スロット内に受容された、保持部材をさらに含む、第１項〜第１０項のいずれか１項に記載の蓋アセンブリ。
１２．スロットは、カムレバーの保持部材がスロット内に挿入され、かつスロットから取り外されることを許容する開口を含み、第１のカム軸が封止部材から連結解除され、かつ保持部材がスロットから取り外されたとき、カム部材は、封止部材及び蓋本体から分離可能である、第１１項に記載の蓋アセンブリ。
１３．飲料容器用の蓋アセンブリであって、
飲み口を有する蓋本体と、
蓋本体に回動可能に取り付けられ、飲み口を封止する封止位置と飲み口を封止解除する封止解除位置との間で回転可能に可動である封止部材と、
蓋本体に回転可能に連結されたカムレバーであって、カムレバーが、第１のカムを有し、かつ第１のカムを回転させるように動作可能であり、第１のカムが、第１のカムから側方に延在し、かつ封止部材に取り外し可能に連結された第１のカム軸を有し、第１のカムの回転が、第１のカム軸に封止部材を封止位置と封止解除位置との間で動かすことを行わせる、カムレバーと、
封止部材が封止位置にあるとき、カムレバーの回転を防止する係止位置と、封止部材を封止位置と封止解除位置との間で動かすようにカムレバーの回転を許容する係止解除位置との間で可動な係止部材と、を備える、蓋アセンブリ。
１４．係止部材は、封止部材が封止位置にあるときのみ、係止位置と係止解除位置との間で可動である、第１３項に記載の蓋アセンブリ。
１５．係止部材は、係止位置においてカムレバーと接触し、係止解除位置においてカムレバーから離間される、第１３項または第１４項に記載の蓋アセンブリ。
１６．係止部材は、カムレバーの回転を防止する係止位置にあるとき、カムレバーの上方に面する表面と接触する、第１３項〜第１５項のいずれか１項に記載の蓋アセンブリ。
１７．係止部材は、封止部材に取り付けられ、かつ封止部材に対して摺動自在に可動である、第１３項〜第１６項のいずれか１項に記載の蓋アセンブリ。
１８．封止部材は、ガイド経路を含み、係止部材は、ガイド経路内で係止解除位置と係止位置との間で前後に摺動自在に可動である、第１７項に記載の蓋アセンブリ。
１９．カムレバーは、第２のカムをさらに含み、カムレバーの回転が、封止部材を封止位置と封止解除位置との間で動かすように第１のカム及び第２のカムを同時に回転させるように動作可能である、第１３項〜第１８項のいずれか１項に記載の蓋アセンブリ。
２０．カムレバーは、第２のカムから側方に延在し、かつ封止部材に取り外し可能に連結された第２のカム軸をさらに含み、第２のカム軸の回転が、第２のカム軸に封止部材を封止位置と封止解除位置との間で動かすことを行わせる、第１９項に記載の蓋アセンブリ。
２１．第１のカム及び第２のカムは、カムレバーの反対側方側部上に側方に離間され、係止部材は、第１のカムと第２のカムとの間に少なくとも部分的に配設される、第１９項に記載の蓋アセンブリ。
２２．係止部材の下方に面する表面は、カムレバーの回転を制限し、かつ封止部材を封止位置に保持するように、係止位置にあるとき、カムレバーの上方に面する表面に対向する、第１３項〜第２１項のいずれか１項に記載の蓋アセンブリ。
２３．蓋本体は、上方突出リップをさらに含み、カムレバーは、カムレバーが封止部材を封止位置に動かしたとき、リップを覆うようにサイズ決め及び形状決めされたカバー部分をさらに含む、第１３項〜第２２項のいずれか１項に記載の蓋アセンブリ。
２４．蓋本体は、上方突出リップをさらに含み、カムレバーは、リップカバー部分をさらに含み、カムレバーが、封止部材が封止位置にある第１の位置と封止部材が封止解除位置にある第２の位置との間で回転可能であり、リップカバー部分が、カムレバーが第１の位置にあるとき、リップを覆う位置にある、第１３項〜第２３項のいずれか１項に記載の蓋アセンブリ。
２５．リップは、飲み口に隣接し、かつ蓋本体の周縁に沿って延在する飲み口リップであり、リップカバー部分は、カムレバーが第１の位置にあるとき、周縁に沿って飲み口リップの少なくとも一部分を覆う、第２４項に記載の蓋アセンブリ。
２６．蓋本体は、円筒形状を有し、リップは、飲み口に隣接し、かつ蓋本体の周縁に沿って延在する飲み口リップであり、リップカバー部分は、カムレバーが第１の位置にあるとき、周縁に沿った飲み口リップの少なくとも一部分が位置付けられる凹部を有する、第２４項に記載の蓋アセンブリ。
２７．第１のカム軸が封止部材に連結されたとき、蓋アセンブリは、カムレバーが封止部材を封止位置と封止解除位置との間で動かすように動作可能である使用構成にあり、第１のカム軸が封止部材から連結解除されたとき、封止部材は、封止解除位置から離間され、かつその下にある洗浄位置に回転可能である、第１３項〜第２６項のいずれか１項に記載の蓋アセンブリ。
２８．封止部材は、洗浄位置にあるとき、蓋本体に回動可能に取り付けられたままである、第２７項に記載の蓋アセンブリ。
２９．蓋本体は、第１のカムの側方外側でこれに隣接し、かつスロットを有する上方突出側壁をさらに含み、カムレバーは、第１のカムから側方に延在する保持部材であって、カムレバーを蓋本体に回転可能に連結し、かつ第１のカムが封止部材を封止位置と封止解除位置との間で動かすように回転されるときに第１のカムの前後運動を許容しつつ第１のカムの上方運動を抑制するように、スロット内に受容された、保持部材をさらに含む、第１３項〜第２８項のいずれか１項に記載の蓋アセンブリ。
３０．スロットは、カムレバーの保持部材がスロット内に挿入され、かつスロットから取り外されることを許容する開口を含み、第１のカム軸が封止部材から連結解除され、かつ保持部材がスロットから取り外されたとき、カムレバーは、封止部材及び蓋本体から分離可能である、第２９項に記載の蓋アセンブリ。
３１．飲料容器用の蓋アセンブリであって、
仕切り及び仕切りを通って延在する飲み口を有する蓋本体と、
蓋本体に回動可能に取り付けられ、飲み口を封止する封止位置と飲み口を封止解除する封止解除位置との間で回転可能に可動である封止部材と、
蓋本体に回転可能に連結されたカムレバーであって、カムレバーが、第１のカムを有するカムアームを含み、カムレバーが、第１のカムを回転させるように動作可能であり、第１のカム軸が、第１のカムの第１の側部から側方に延在し、かつ封止部材に取り外し可能に連結され、第２のカム軸が、第１のカムの反対側の第２の側部から側方に延在し、かつ蓋本体に連結され、第１のカムの回転が封止部材を封止位置と封止解除位置との間で動かす、カムレバーと、
第１のカムの回転を防止する係止位置と第１のカムの回転を許容する係止解除位置との間で摺動自在に可動な係止部材と、を備える、蓋アセンブリ。
３２．係止部材は、本体部分及び本体部分から外方に突出する係止要素を含み、係止要素が、係止部材が第１のカムの回転を防止するように係止位置にあるとき、カムレバーの上面と係合するように適合された下方に面する表面を有する、第３１項に記載の蓋アセンブリ。
３３．係止要素は、係止部材の前方側部から延在する、第３１項または第３２項に記載の蓋アセンブリ。
３４．係止部材は、係止部材本体部分及び係止部材本体部分から下方に延在するガイド部材をさらに含み、封止部材は、ガイド部材を摺動自在に受容するガイド経路を含み、ガイド部材が、係止部材が係止位置にあるガイド経路内の第１の位置と、係止部材が係止解除位置にあるガイド経路内の第２の位置との間で動くように適合されている、第３１項〜第３３項のいずれか１項に記載の蓋アセンブリ。
３５．係止部材は、係止部材本体部分から下方に延在する内側部分をさらに含み、ガイド部材は、内側部分から外方に延在する、第３４項に記載の蓋アセンブリ。
３６．ガイド部材は、係止部材本体部分の反対側の内側部分の端部に配設されている、第３５項に記載の蓋アセンブリ。
３７．ガイド部材及び内側部分は合わせて、Ｔ字形断面を有する、第３５項に記載の蓋アセンブリ。
３８．封止部材及び係止部材のうちの一方は、戻り止め部分を有し、封止部材及び係止部材のうちの他方は、戻り止め部分を密着して受容するようにサイズ決め及び形状決めされた第１の受容部分を有する、第３１項〜第３７項のいずれか１項に記載の蓋アセンブリ。
３９．第１の受容部分は、係止部材が係止位置及び係止解除位置のうちの一方にあるとき、戻り止め部分を受容する、第３８項に記載の蓋アセンブリ。
４０．封止部材及び係止部材のうちの他方は、戻り止め部分を密着して受容するようにサイズ決め及び形状決めされた第２の受容部分を有し、第２の受容部分は、第１の受容部分から離間されている、第３８項に記載の蓋アセンブリ。
４１．封止部材及び係止部材のうちの他方は、第１の受容部分及び第２の受容部分を接続する経路を有し、第１の受容部分は、係止部材が係止位置にあるとき、戻り止め部分を受容し、第２の受容部分は、係止部材が係止解除位置にあるとき、戻り止め部分を受容する、第４０項に記載の蓋アセンブリ。
４２．係止部材は、係止部材本体部分及び係止部材本体から延在するアーム部分を含み、封止部材は、封止部材に沿って前後方向に延在するガイド経路を含み、ガイド経路は、係止位置と係止解除位置との間の運動に対して係止部材を保持するように適合されている、第３２項に記載の蓋アセンブリ。
４３．アーム部分は、突起をさらに含み、ガイド経路は、係止部材を係止位置及び係止解除位置のうちの一方に保持するように突起と密着して係合するように適合された第１の受容部分を含む、第４２項に記載の蓋アセンブリ。
４４．ガイド経路は、第１の受容部分から離間された第２の受容部分をさらに含み、第２の受容部分が係止部材を係止位置及び係止解除位置のうちの他方に保持するように突起と密着して係合するように適合されている、第４３項に記載の蓋アセンブリ。
４５．ガイド経路は、第１の受容部分と第２の受容部分との間に位置付けられた突出部分をさらに含み、突出部分が、係止部材を係止位置または係止解除位置に保持するように突起に当接するように適合されている、第４４項に記載の蓋アセンブリ。
４６．係止部材本体のアーム部分は、第１の平坦部分を含み、封止部材のガイド経路は、第２の平坦部分を含み、第１の平坦部分は、アーム部分がガイド経路と係合されそこからの取り外しを防止するとき、第２の平坦部分に対向する、第４２項に記載の蓋アセンブリ。
【００５２】
上記に説明された実施形態の様々な特徴は、本明細書に説明された蓋アセンブリの範囲から逸脱することなく、他の実施形態の特徴と組み合わせられ得る。本発明の特定実施形態が示され説明されてきたが、当業者にとって、本明細書の教示に基づいて、変更及び修正が本明細書及びその幅広い態様から逸脱することなくなされ得、このため、添付の請求項が、このような全ての変更及び修正を本発明の本来の概念及び範囲内であるとしてその範囲内に包含されることが明白であろう。さらに、本発明は、添付の請求項によってのみ定義されることが理解されるべきである。一般に、本明細書、特に、添付の請求項において使用される用語が、概して、「オープン」タームとして意図されることが当業者によって理解されるであろう（例えば、用語「含んでいる（ｉｎｃｌｕｄｉｎｇ）」は、「含んでいるが、限定されるものではない」として解釈されるべきであり、用語「有している（ｈａｖｉｎｇ）」は、「少なくとも有する」として解釈されるべきであり、用語「含む（ｉｎｃｌｕｄｅ）」は、「含むが、限定されるものではない」として解釈されるべきである等）。
【００５３】
特定番号の提示された請求項の記載が意図される場合、このような意図は、請求項内に明示的に記載され、このような記載がないことは、このような意図が存在しないことが、当業者によってさらに理解されるであろう。例えば、理解の補助として、以下の添付の請求項は、請求項の記載を提示するために導入句「少なくとも１つ」及び「１つ以上」の使用を含有し得る。しかしながら、このような語句の使用は、同一請求項が導入句「１つ以上」または「少なくとも１つ」及び「ａ」または「ａｎ」等の不定冠詞を含むときでさえ、不定冠詞「ａ」または「ａｎ」による請求項の記載の提示が、このように提示された請求項の記載を含有する任意の特定請求項が１つのみのこのような記載を含有する発明に限定されることを意味するように解釈されるべきではなく、これは、請求項の記載を提示するために使用される定冠詞の使用に対しても同じである。加えて、特定番号の提示された請求項の記載が、明示的に記載されている場合でさえ、当業者は、このような記載が少なくとも記載された番号を意味するように一般的に解釈されるべきであることを理解するであろう（例えば、他の修飾語がない「２つの記載」のそれだけの記載は、少なくとも２つの記載、つまり２つ以上の記載を一般的に意味する）。したがって、本発明は、添付の請求項による場合を除いて限定されない。
【図１】
2019501079.tif 000003
【図２】
2019501079.tif 000004
【図３】
2019501079.tif 000005
【図４Ａ】
2019501079.tif 000006
【図４Ｂ】
2019501079.tif 000007
【図５Ａ】
2019501079.tif 000008
【図５Ｂ】
2019501079.tif 000009
【図５Ｃ】
2019501079.tif 000010
【図６Ａ】
2019501079.tif 000011
【図６Ｂ】
2019501079.tif 000012
【図６Ｃ】
2019501079.tif 000013
【図６Ｄ】
2019501079.tif 000014
【図７Ａ】
2019501079.tif 000015
【図７Ｂ】
2019501079.tif 000016
【図８】
2019501079.tif 000017
【図９】
2019501079.tif 000018
【図１０】
2019501079.tif 000019
【図１１】
2019501079.tif 000020
【図１２】
2019501079.tif 000021
【図１３】
2019501079.tif 000022
【図１４】
2019501079.tif 000023
【図１５】
2019501079.tif 000024
【図１６】
2019501079.tif 000025
【図１７】
2019501079.tif 000026
【図１８】
2019501079.tif 000027
【図１９Ａ】
2019501079.tif 000028
【図１９Ｂ】
2019501079.tif 000029
【図１９Ｃ】
2019501079.tif 000030
【図２０Ａ】
2019501079.tif 000031
【図２０Ｂ】
2019501079.tif 000032
【図２０Ｃ】
2019501079.tif 000033
【図２１Ａ】
2019501079.tif 000034
【図２１Ｂ】
2019501079.tif 000035
【図２１Ｃ】
2019501079.tif 000036
【図２２Ａ】
2019501079.tif 000037
【図２２Ｂ】
2019501079.tif 000038
【図２３Ａ】
2019501079.tif 000039
【図２３Ｂ】
2019501079.tif 000040
【図２３Ｃ】
2019501079.tif 000041
【図２４Ａ】
2019501079.tif 000042
【図２４Ｂ】
2019501079.tif 000043
【図２４Ｃ】
2019501079.tif 000044
【図２４Ｄ】
2019501079.tif 000045
【図２５Ａ】
2019501079.tif 000046
【図２５Ｂ】
2019501079.tif 000047
【図２５Ｃ】
2019501079.tif 000048
【国際調査報告】
2019501079.tif 000049